(57)【特許請求の範囲】
【請求項１】
無線通信システムにおいて情報を伝送するための方法であって、
第１のＯＦＤＭシンボルにおける、単一の複素数値Ｘを掛けた第１のセクタ特有のシーケンスを備える干渉報告信号の第１の部分を生成することと、
第２のＯＦＤＭシンボルにおける、Ｘの２乗である別の値Ｙを掛けた第２のセクタ特有のシーケンスを備える前記干渉報告信号の第２の部分を生成することと
を含む方法。
【請求項２】
両方のシーケンスに、前記干渉報告信号の値に依存する複素数が掛けられる、請求項１の方法。
【請求項３】
前記第１のセクタ特有のシーケンスは前記第２のセクタ特有のシーケンスとは異なり、前記２つのシーケンスに掛ける位相は異なる、請求項１の方法。
【請求項４】
前記位相は、０、２π／３、および４π／３を含むグループから選ばれる、請求項３の方法。
【請求項５】
無線通信装置であって、
第１のＯＦＤＭシンボルにおける、単一の複素数値Ｘを掛けた第１のセクタ特有のシーケンスを備える干渉報告信号の第１の部分を生成し、
第２のＯＦＤＭシンボルにおける、Ｘの２乗である別の値Ｙを掛けた第２のセクタ特有のシーケンスを備える前記干渉報告信号の第２の部分を生成する
ための命令を実行するプロセッサと、
前記プロセッサにより実行される命令に関する情報を記憶するメモリと
を含む装置。
【請求項６】
両方のシーケンスに、前記干渉報告信号の値に依存する複素数が掛けられる、請求項５の無線通信装置。
【請求項７】
前記第１のセクタ特有のシーケンスは前記第２のセクタ特有のシーケンスとは異なり、前記２つのシーケンスに掛ける位相は異なる、請求項５の無線通信装置。
【請求項８】
前記位相は、０、２π／３および４π／３を含むグループから選ばれる、請求項７の無線通信装置。
【請求項９】
干渉情報を提供する無線通信装置であって、
第１のＯＦＤＭシンボルにおける、単一の複素数値Ｘを掛けた第１のセクタ特有のシーケンスを備える干渉報告信号の第１の部分を生成するための手段と、
第２のＯＦＤＭシンボルにおける、Ｘの２乗である別の値Ｙを掛けた第２のセクタ特有のシーケンスを備える前記干渉報告信号の第２の部分を生成するための手段と
を含む装置。
【請求項１０】
両方のシーケンスに、前記干渉報告信号の値に依存する複素数が掛けられる、請求項９の無線通信装置。
【請求項１１】
前記第１のセクタ特有のシーケンスは前記第２のセクタ特有のシーケンスとは異なり、前記２つのシーケンスに掛ける位相は異なる、請求項９の無線通信装置。
【請求項１２】
前記位相は、０、２π／３、および４π／３を含むグループから選ばれる、請求項１１の無線通信装置。
【請求項１３】
コンピュータ可読記憶媒体であって、
第１のＯＦＤＭシンボルにおける、単一の複素数値Ｘを掛けた第１のセクタ特有のシーケンスを備える干渉報告信号の第１の部分を生成し、
第２のＯＦＤＭシンボルにおける、Ｘの２乗である別の値Ｙを掛けた第２のセクタ特有のシーケンスを備える前記干渉報告信号の第２の部分を生成する
ための、プロセッサによって実行可能な命令を記憶した、コンピュータ可読記憶媒体。
【請求項１４】
両方のシーケンスに前記干渉報告信号の値に依存する複素数が掛けられる命令をさらに備える、請求項１３のコンピュータ可読記憶媒体。
【請求項１５】
前記第１のセクタ特有のシーケンスが前記第２のセクタ特有のシーケンスとは異なり、前記２つのシーケンスに掛ける位相が異なる、命令をさらに備える、請求項１３のコンピュータ可読記憶媒体。
【請求項１６】
前記位相が０、２π／３および４π／３を含むグループから選ばれる命令をさらに備える、請求項１５のコンピュータ可読記憶媒体。
【請求項１７】
無線通信システムにおいて情報を処理するための方法であって、
第１の部分および第２の部分を含む干渉報告信号を受信することであって、前記第１の部分は、第１のＯＦＤＭシンボルにおける、単一の複素数値Ｘを掛けた第１のセクタ特有のシーケンスに対応し、前記第２の部分は、第２のＯＦＤＭシンボルにおける、Ｘの２乗である別の値Ｙを掛けた第２のセクタ特有のシーケンスに対応する、受信することと、
他のセクタ干渉（ＯＳＩ）値を得るために前記第１の部分および前記第２の部分を使用することと
を含む方法。
【請求項１８】
前記ＯＳＩ値に基づいて送信パワーレベルを修正することをさらに含む、請求項１７の方法。
【請求項１９】
前記ＯＳＩ値は、過度の干渉、高い干渉、または最小の干渉のうちの１つを示す、請求項１７の方法。
【請求項２０】
チャネル推定を導き出すために前記第１の部分を使用してチャネル推定を行なうことと、
前記ＯＳＩ値を得るために前記チャネル推定を使用することと
をさらに含む、請求項１７の方法。
【請求項２１】
無線通信装置であって、
第１の部分および第２の部分を含む干渉報告信号を受信し、前記第１の部分は、第１のＯＦＤＭシンボルにおける、単一の複素数値Ｘを掛けた第１のセクタ特有のシーケンスに対応し、前記第２の部分は、第２のＯＦＤＭシンボルにおける、Ｘの２乗である別の値Ｙを掛けた第２のセクタ特有のシーケンスに対応し、
他のセクタ干渉（ＯＳＩ）値を得るために前記第１の部分および前記第２の部分を使用する
ための命令を実行するプロセッサと、
前記プロセッサによって生成される前記命令に関連する情報を記憶するメモリと
を含む装置。
【請求項２２】
前記プロセッサは、前記ＯＳＩ値に基づいて送信パワーレベルを修正するための命令をさらに実行する、請求項２１の無線通信装置。
【請求項２３】
前記ＯＳＩ値は、過度の干渉、高い干渉、または最小の干渉のうちの１つを示す、請求項２１の無線通信装置。
【請求項２４】
前記プロセッサは、
チャネル推定を導き出すために前記第１の部分を使用してチャネル推定を行い、
前記ＯＳＩ値を得るために前記チャネル推定を使用する
ための命令をさらに実行する、請求項２１の無線通信装置。
【請求項２５】
情報を処理する無線通信装置であって、
第１の部分および第２の部分を含む干渉報告信号を受信するための手段であって、前記第１の部分は、第１のＯＦＤＭシンボルにおける、単一の複素数値Ｘを掛けた第１のセクタ特有のシーケンスに対応し、前記第２の部分は、第２のＯＦＤＭシンボルにおける、Ｘの２乗である別の値Ｙを掛けた第２のセクタ特有のシーケンスに対応する、受信するための手段と、
他のセクタ干渉（ＯＳＩ）値を得るために前記第１の部分および前記第２の部分を使用するための手段と
を含む装置。
【請求項２６】
前記ＯＳＩ値に基づいて送信パワーレベルを修正するための手段をさらに含む、請求項２５の無線通信装置。
【請求項２７】
前記ＯＳＩ値は、過度の干渉、高い干渉、または最小の干渉のうちの１つを示す、請求項２５の無線通信装置。
【請求項２８】
チャネル推定を導き出すために前記第１の部分を使用してチャネル推定を行なうための手段と、
前記ＯＳＩ値を得るために前記チャネル推定を使用するための手段と
をさらに含む、請求項２５の無線通信装置。
【請求項２９】
コンピュータ可読記憶媒体であって、
第１の部分および第２の部分を含む干渉報告信号を受信し、前記第１の部分は、第１のＯＦＤＭシンボルにおける、単一の複素数値Ｘを掛けた第１のセクタ特有のシーケンスに対応し、前記第２の部分は、第２のＯＦＤＭシンボルにおける、Ｘの２乗である別の値Ｙを掛けた第２のセクタ特有のシーケンスに対応し、
他のセクタ干渉（ＯＳＩ）値を得るために前記第１の部分および前記第２の部分を使用する
ための、プロセッサによって実行可能な命令を記憶した、コンピュータ可読記憶媒体。
【請求項３０】
前記ＯＳＩ値に基づいて送信パワーレベルを修正するための命令をさらに備える、請求項２９のコンピュータ可読記憶媒体。
【請求項３１】
前記ＯＳＩ値が、過度の干渉、高い干渉、または最小の干渉のうちの１つを示す、命令をさらに備える、請求項２９のコンピュータ可読記憶媒体。
【請求項３２】
チャネル推定を導き出すために前記第１の部分を使用してチャネル推定を行ない、
前記ＯＳＩ値を得るために前記チャネル推定を使用する
ための命令をさらに備える、請求項２９のコンピュータ可読記憶媒体。
【発明の詳細な説明】
【技術分野】
【０００１】
相互参照
本出願は、１０／０３／０６に提出された米国仮出願連続番号６０／８４９，２９３、および１／０５／２００７に提出された米国仮出願連続番号６０／８８３，７５５、および９／２８／０７に提出された米国特許出願連続番号１１／８６４，６４４の利益を主張する。これらの出願の各々の全体は、参照によりここに組込まれる。
【背景技術】
【０００２】
Ｉ．分野
次の説明は、一般に無線通信システムに関する、そして、中でも無線通信システムにおける信号伝送に関する。
【０００３】
ＩＩ．背景
無線の多重アクセス通信システムは、フォワードとリバースリンク上で同時に複数の端末により通信することができる。フォワードリンク（すなわちダウンリンク）は基地局から端末への通信リンクを表す。また、リバースリンク（すなわちアップリンク）は端末から基地局への通信リンクを表す。複数の端末は、同時に、リバースリンク上でデータを送信し、および／またはフォワードリンク上でデータ受信することができる。このことは、時間、周波数、および／または符号領域上で互いに直交するように各リンク上で送信を多重化することによりしばしば達成される。
【０００４】
リバースリンクにおいては、異なる基地局と通信する端末からの送信は、一般に、互いに直交ではない。従って、各端末は、それぞれ、近くの基地局と通信する他の端末への干渉を引き起こし、これらの他の端末からさらに干渉を受け取るかもしれない。各端末の性能は、他の基地局と通信する他の端末からの干渉により低下される。
【発明の概要】
【０００５】
下記は、開示された実施形態のいくつかの態様の基本的理解を提供するために単純化された概要を示す。この概要は、広範囲な概観でなく、キーとなる、あるいは重大な要素を識別せず、かつ、そのような実施形態の範囲を線引きしないように意図される。その目的は、後に示されるより詳細な説明の前ぶれとして単純化された形式において説明された実施形態のいくつかの概念を提示することである。
【０００６】
１つ以上の実施形態およびその対応する開示に従って、種々の態様は無線通信システムにおける干渉の軽減に関して説明される。態様は、無線通信システムにおける情報伝送のための方法に関する。方法は、第１のＯＦＤＭシンボルにおけるセクタ特有のシーケンスに対応する信号の第１の部分を生成することを含んでいる。方法は、さらに第２のＯＦＤＭシンボルにおける信号に値を掛けたセクタ特有のシーケンスに対応する信号の第２の部分を生成することを含んでいる。
【０００７】
別の態様に従って、プロセッサとメモリを含んでいる無線通信装置がある。プロセッサは、送信の信号を生成するための命令を実行する。信号は、第１のＯＦＤＭシンボルにおけるセクタ特有のシーケンスに対応する第１の部分を含んでいる。また、第２の部分は、第２のＯＦＤＭシンボルにおける信号に値を掛けたセクタ特有のシーケンスに対応する。メモリは、プロセッサにより生成された命令に関する情報を記憶する。
【０００８】
別の態様は、干渉情報を提供する無線通信装置に関する。前記装置は、第１のＯＦＤＭシンボルにおけるセクタ特有のシーケンスに対応する信号の第１の部分を作成するための手段を含んでいる。さらに、第２のＯＦＤＭシンボルにおける信号に値を掛けたセクタ特有のシーケンスに対応する信号の第２の部分を作成するための手段が含まれている。
【０００９】
さらに、別の態様は、第１のＯＦＤＭシンボルにおけるセクタ特有のシーケンスに対応する信号の第１の部分の生成に対する機械実行可能命令をその上に記憶した機械可読媒体に関する。機械実行可能命令は、さらに第２のＯＦＤＭシンボルにおける信号に値を掛けたセクタ特有のシーケンスに対応する信号の第２の部分を生成することを含んでいる。前記信号は、干渉報告を含むことができる。また、前記値は干渉値を含む。
【００１０】
さらに、別の態様は、無線通信システムにおいて使用可能な装置である。前記装置は、第１のＯＦＤＭシンボルにおけるセクタ特有のシーケンスに対応する信号の第１の部分を生成するように構成されたプロセッサを含んでいる。前記プロセッサは、第２のＯＦＤＭシンボルにおける信号に値を掛けたセクタ特有のシーケンスに対応する信号の第２の部分を生成するように構成することができる。前記信号は干渉報告を含むことができる。また、前記値は干渉値を含むことができる。
【００１１】
関連する態様において、無線通信システムにおける情報を処理するための方法がある。
【００１２】
前記方法は、第１の部分および第２の部分を含んでいる信号を受信すること、および、１つの他のセクタ干渉（Ｏｔｈｅｒ  Ｓｅｃｔｏｒ  Ｉｎｔｅｒｆｅｒｅｎｃｅ）（ＯＳＩ）値を得るために第１の部分および第２の部分を使用することを含んでいる。さらに、方法は、前記ＯＳＩ値に基づいて送信パワーレベルを修正することを含むことができる。前記ＯＳＩ値は、過度の干渉（ｅｘｃｅｓｓｉｖｅ  ｉｎｔｅｒｆｅｒｅｎｃｅ）、高い干渉（ｈｉｇｈ  ｉｎｔｅｒｆｅｒｅｎｃｅ）、あるいは最小の干渉（ｍｉｎｉｍａｌ  ｉｎｔｅｒｆｅｒｅｎｃｅ）のうちの１つを示すことができる。
【００１３】
別の態様によれば、プロセッサ、およびプロセッサにより生成された命令に関する情報を記憶するメモリを含んでいる無線通信装置がある。前記プロセッサは、第１の部分および第２の部分を含んでいる信号を受信し、ＯＳＩ値を得るために第１の部分および第２の部分を使用するための命令を実行することができる。
【００１４】
さらに、別の態様は、情報を処理する無線通信装置に関する。前記装置は、第１の部分および第２の部分を含んでいる信号を受信するための手段を含むことができる。さらに、他のセクタ干渉（ＯＳＩ）値を得るために第１の部分および第２の部分を使用するための手段が含まれている。
【００１５】
別の態様は、第１の部分および第２の部分を含んでいる信号を受信するための機械実行可能命令をその上に記憶した機械可読媒体に関する。第１の部分および第２の部分は、過度の干渉、高い干渉、あるいは最小の干渉の示す他のセクタ干渉（ＯＳＩ）値を得るために使用することができる。その命令は、さらにＯＳＩ値に基づいて送信パワーレベルを修正する。
【００１６】
別の態様において、プロセッサを含んでいる無線通信システムにおいて使用可能な装置がある。前記プロセッサは、第１の部分および第２の部分を含んでいる信号を受け取り、かつ、他のセクタ干渉（ＯＳＩ）値得るために第１の部分および第２の部分を利用するように構成することができる。前記ＯＳＩ値は、過度の干渉、高い干渉、あるいは最小の干渉のうちの１つを示すことができる。前記プロセッサは、さらに、ＯＳＩ値に基づいて送信パワーレベルを修正するように構成することができる。
【００１７】
前述の目的の遂行に向けて、１つ以上の実施形態は、以後で完全に説明され、請求項において特に指摘される特徴を含む。次の説明、および、添付された図面は、ある実例となる態様を詳細に明らかにする、そして、実施形態の法則が使用され得る様々な方法のうちの少数だけを示す。他の利点および新規な特徴は、図面と関連して熟考された場合、次の詳細な説明から明白になるだろう。また、示された実施形態は、そのような態様およびそれらの等価物をすべて含むように意図される。
【図面の簡単な説明】
【００１８】
【図１】信号伝送の様々な実施形態による多重アクセス無線通信システムを示す。
【図２】無線通信システムにおける情報伝送を容易にするシステムの例を示す。
【図３】情報を受信し、そして、その受信情報に一部分に基づいて送信パワーを修正するためのシステム例を示す。
【図４】無線通信ネットワーク内のユーザーベースの干渉制御に関する情報伝送の方法を示す。
【図５】無線通信ネットワーク内のネットワークベースの干渉制御に関する情報伝送の方法を示す。
【図６】一態様によるＯＦＤＭシンボル５を構築する方法を示す。
【図７】一態様によるＯＦＤＭシンボル６を構築する方法を示す。
【図８】無線通信ネットワークにおける干渉制御の方法を示す。
【図９】端末および２つの基地局のブロック図を示す。
【図１０】干渉情報を提供するためのシステム例を示す。
【図１１】干渉情報を処理するためのシステム例を示す。
【詳細な説明】
【００１９】
次に、様々な実施形態が図面を参照して説明される。次の説明において、説明の目的ために、多数の特定の詳細は、１つ以上の態様についての完全な理解を提供するために述べられる。しかしながら、そのような実施形態は、これらの特定の詳細なしに実施され得ることは、明白かもしれない。他の事例において、周知の構成および装置は、これらの実施形態を説明することを容易にするためにブロック図の形で示される。
【００２０】
本出願において使用されるように、用語「構成要素（component）」、「モジュール」、「システム」などは、コンピュータ関連のエンティティ、ハードウェア、ファームウェア、ハードウェアとソフトウェアの組み合わせ、ソフトウェア、あるいは実行におけるソフトウェア、のいずれかを表すように意図される。例えば、１つの構成要素は、プロセッサ上で動作するプロセス、プロセッサ、オブジェクト、実行可能可能ファイル（ｅｘｅｃｕｔａｂｌｅ）、実行のスレッド、プログラム、および／または、コンピュータでかもしれない。しかし、これらであることに限定されない。実例として、コンピューティング装置上で動作するアプリケーションおよびコンピューティング装置の両方は、構成要素になり得る。１つ以上の構成要素は実行のプロセスおよび／またはスレッド内に存在することができる。また、構成要素は、１つのコンピュータに集中されてもよい、および／または、２台以上のコンピュータ間で分配されてもよい。さらに、これらの構成要素は、その上に諸データ構成を記憶する様々なコンピュータ可読の媒体から実行することができる。構成要素は、１つ以上のデータパケット（例えばローカルシステム、分散型システムにおいて、および／または、信号経由の他のシステムを有するインターネットのようなネットワークを介して、別の構成要素と対話する１つの構成要素からのデータ）を有する信号に従って、ローカルおよび／または遠隔のようなプロセスを介して通信することができる。
【００２１】
更に、様々な実施形態は、無線端末に関してここに説明される。無線端末は、さらに、システム、加入者ユニット、加入者局、移動局、モバイル、モバイルデバイス、遠隔局、遠隔端末、アクセス端末、ユーザー端末、端末、無線通信デバイス、ユーザーエージェント、ユーザーデバイスあるいはユーザー設備（ＵＥ）と呼ばれことがある。無線端末は、携帯電話、コードレス電話、セッション設定プロトコル（Ｓｅｓｓｉｏｎ  Ｉｎｉｔｉａｔｉｏｎ  Ｐｒｏｔｏｃｏｌ）（ＳＩＰ）電話、ワイヤレス・ローカル・ループ（ｗｉｒｅｌｅｓｓ  ｌｏｃａｌ  ｌｏｏｐ）（ＷＬＬ）局、携帯情報端末（ｐｅｒｓｏｎａｌ  ｄｉｇｉｔａｌ  ａｓｓｉｓｔａｎｔ）（ＰＤＡ）、無線接続能力を持っているハンドヘルド装置、コンピューティング装置あるいは無線モデムに接続された他の処理装置かもしれない。さらに、様々な実施形態は、基地局に関してここに説明される。基地局は、無線端末と通信するために利用され、アクセス・ポイント、ノードＢあるいは他のいくつかの用語で呼ばれることがある。
【００２２】
種々の態様または機能は、多くの装置、構成要素、モジュールなどを含み得るシステムの点から示されるだろう。種々のシステムは、追加の装置、構成要素、モジュールを含み得ること、および／または、図に関して説明された、装置、構成要素、モジュール、のすべてを含んでいなくてもよいことは、理解され認識されるべきである。これらのアプローチの組合せも使用され得る。
【００２３】
図１は、信号伝送のための様々な実施形態による多重アクセス無線通信システム１００を示す。システム１００は、干渉を軽減することを促進することができる。さらに詳細には、多重アクセス無線通信システム１００は、複数のセル（例えばセル１０２、１０４および１０６）を含んでいる。図１の実施形態において、セル１０２、１０４および１０６はそれぞれ、複数のセクタを含むアクセス・ポイント１０８、１１０、１１２を含み得る。複数のセクタは、セルの一部においてアクセス端末との通信の責任を各々負うアンテナのグループにより形成される。セル１０２において、アンテナグループ１１４、１１６および１１８は各々異なるセクタに対応する。セル１０４において、アンテナグループ１２０、１２２および１２４は各々異なるセクタに対応する。セル１０６において、アンテナグループ１２６、１２８および１３０は各々異なるセクタに対応する。
【００２４】
セルは、それぞれいくつかのアクセス端末を含んでいる。それは各アクセス・ポイントの１つ以上のセクタと通信する。例えば、アクセス端末１３２、１３４、１３６および１３８は基地局１０８と通信する。アクセス端末１４０、１４２および１４４はアクセス・ポイント１１０と通信する。また、アクセス端末１４６、１４８および１５０はアクセス・ポイント１１２と通信する。
【００２５】
セル１０４に示されるように、例えば、各アクセス端末１４０、１４２および１４４は、同じセルにおける他のアクセス端末それぞれとは、各自のセルのその異なる部分に位置する。さらに、アクセス端末１４０、１４２および１４４は、それぞれそれが通信している対応するアンテナグループとは異なる距離かもしれない。これらの要因の両方は、さらにそのセルにおける環境および他の条件により、各アクセス端末と、それが通信しているその対応するアンテナグループの間で存在する異なるチャネルコンディションを引き起こす原因となる状況を提供する。
【００２６】
いくつかの態様に従って、特定のセルのアクセス端末は、そのセルに関連したアクセス・ポイントと通信状態にあるかもしれない、そして、本質的に、同時に、異なるセルに関連したアクセス・ポイントと通信状態にある。例えば、アクセス端末１３２はアクセス・ポイント１０８および１１０と通信状態であるかもしれない。アクセス端末１４８はアクセス・ポイント１１０および１１２と通信状態にあるかもしれない。そして、アクセス端末１５０はアクセス・ポイント１０８および１１２との通信状態にあるかもしれない。
【００２７】
コントローラ１５２は、セル１０２、１０４および１０６の各々へ結合されている。コントローラ１５２は、インターネット、他のパケットベースのネットワーク、あるいは回線交換音声ネットワークのような複数のネットワークとの１つ以上の接続を含み得る。そして、それらは、多重アクセス無線通信システム１００のセルと通信状態にあるアクセス端末へ、および、それから情報を提供するコントローラ１５２は、アクセス端末からの、および、それへの送信をスケジュールするスケジューラを含むか、あるいは、それに結合されている。いくつかの実施形態において、スケジューラは、個々のセル、セルの各セクタ、あるいはそれの組合せに存在し得る。
【００２８】
ここに説明された干渉制御の技法は、セクタ化されたセルを有するシステム、およびセクタ化されていないセルを有するシステムに対して使用され得る。次の説明において、用語「セクタ」は、従来のＢＴＳ、および／または、セクタ化されたセルを有するシステムに対するそのカバレージエリア、および／または、従来の基地局、および／または、セクタ化されていないセルを有するシステムに対するそのカバレージエリア、を表す。「端末」および「ユーザー」という用語は、交換可能に使用される。また、「セクタ」および「基地局」という用語も交換可能に使用される。サービング基地局／セクタは、端末が通信する基地局／セクタである。隣接基地局／セクタは、端末が通信状態にない基地局／セクタである。
【００２９】
干渉制御の技法は、さらに様々な多重アクセス通信システムに対して使用され得る。例えば、これらの技法は、符号分割多重アクセス（ＣＤＭＡ）システム、周波数分割多重アクセス（ＦＤＭＡ）システム、時分割多重アクセス（ＴＤＭＡ）システム、直交周波数分割多重アクセス（ＯＦＤＭＡ）システム、インターリーブ（ｉｎｔｅｒｌｅａｖｅｄ）（ＩＦＤＭＡ）システム、ローカライズ（ｌｏｃａｌｉｚｅｄ）ＦＤＭＡ（ＬＦＤＭＡ）システム、空間分割多重アクセス（ＳＤＭＡ）システム、疑似直交多重アクセスシステムなどについて使用されてもよい。ＩＦＤＭＡは分散（ｄｉｓｔｒｉｂｕｔｅｄ）ＦＤＭＡとも呼ばれる。また、ＬＦＤＭＡは狭帯域ＦＤＭＡあるいは古典的ＦＤＭＡとも呼ばれる。ＯＦＤＭＡシステムは、直交周波数分割多重化（ＯＦＤＭ）を利用する。ＯＦＤＭ、ＩＦＤＭＡおよびＬＦＤＭＡは、複数（Ｋ個）の直交周波数サブバンドへシステム全体の帯域幅を有効に分割する。これらのサブバンドは、トーン、サブキャリア、ビンなどとも呼ばれ得る。ＯＦＤＭは、Ｋ個のサブバンドのすべて、あるいはサブセットの上の周波数領域において変調シンボルを送信する。ＩＦＤＭＡは、Ｋ個のサブバンドにわたって一様に分散されたサブバンド上の時間領域において変調シンボルを送信する。ＬＦＤＭＡは、時間領域において、および一般に隣接したサブバンド上で変調シンボルを送信する。
【００３０】
図１に示されるように、各セクタは、セクタ内の端末から「希望の（ｄｅｓｉｒｅｄ）」送信を受信することに加えて、他のセクタの端末から「干渉の（ｉｎｔｅｒｆｅｒｉｎｇ）」送信を受信するかもしれない。各セクタで観測される全体の干渉は、（１）同じセクタ内の端末からのセクタ内干渉および、（２）他のセクタの端末からのセクタ間干渉からなる。ＯＦＤＭＡ、ＩＦＤＭＡあるいはＬＦＤＭＡのような直交システムにおいて、たとえあるとしても、セクタ内の干渉は最小であることは、注意されるべきである。したがって、そのような直交システムにおいて、セクタ間干渉は支配的な事柄である。セクタ間干渉（さらに、それは、他のセクタ干渉（ｏｔｈｅｒ  ｓｅｃｔｏｒ  ｉｎｔｅｒｆｅｒｅｎｃｅ）（ＯＳＩ）と呼ばれる）は、他のセクタにおける送信に対して直交でない各セクタの送信に起因する。セクタ間干渉および任意のセクタ内干渉は、性能に影響を及ぼし、そして下記に説明されるように、軽減され得る。
【００３１】
セクタ間干渉は、ユーザーベースの干渉制御およびネットワークベースの干渉制御のような様々なメカニズムを使用して制御され得る。ユーザーベースの干渉制御については、端末に隣接セクタにより観測されたセクタ間干渉が通知され、セクタ間干渉が受け入れ可能なレベル内に維持されるように、それらの送信パワーを適宜に調節する。ネットワークベースの干渉制御については、セクタにそれぞれ隣接セクタにより観測されたセクタ間干渉が通知され、セクタ間干渉が受け入れ可能なレベル内に維持されるようにその端末に対するデータ送信を調整する。システムは、ユーザーベースの干渉制御のみ、ネットワークベースの干渉制御のみ、あるいは、ユーザーベースの干渉制御とネットワークベースの干渉制御の両方、を利用することができる。干渉制御のメカニズム、および、それらの組合せは下記に述べられるように、様々な方式において実装され得る。
【００３２】
図２は、無線通信システムにおける情報伝送を容易にする実例システム２００を示す。システム２００は、それぞれの送信を修正するために受信デバイスにより利用することができる干渉測定を提供し、かつ報告するように構成することができる。
【００３３】
さらに詳細には、システム２００は、受信機２０４と無線通信する送信機２０２を含んでいる。例えば、送信機２０２は基地局であり得る、そして、受信機２０４は通信デバイスであり得る。システム２００は、１台以上の送信機２０２と１台以上の受信機２０４を含むことができるであろうことが理解されるに違いない。しかしながら、１台のみの受信機および１台のみの送信機だけが、単純化のために、示される。
【００３４】
送信機２０２は、受信機（例えば端末）２０４からの干渉を観測するように構成することができる干渉計算器２０６を含んでいる。受信機２０４は、異なる送信機よって取り扱われている受信機あるいは異なるセクタにおける受信機であり得る。そのような受信機は、それぞれのセクタの境界線の端上か外側にいるかもしれない。観測された干渉に一部分基づいて、干渉の推定値は干渉計算器２０６により確立することができる。いくつかの態様に従って、推定値は、他のセクタに含まれている端末に対する送信機２０２により得られた、生の測定値あるいはしきい値に基づいている。
【００３５】
推定値に基づいて、ＯＳＩ報告生成器２０８は、ＯＳＩ（他のセクタ干渉（Ｏｔｈｅｒ  Ｓｅｃｔｏｒ  Ｉｎｔｅｒｆｅｒｅｎｃｅ））報告を作成するように構成することができる。この報告は、セクタ間干渉（例えば近隣のセクタの受信機によりもたらされた干渉）の値を伝えるために利用することができる。その代わりに、あるいは付加的に、ＯＳＩ報告は、干渉しきい値、干渉測定、伝送損失、他の送信機（例えばセクタ）により測定された自分のセクタの端末からの受信パワー、および／または、そのセクタおよび他のセクタの端末により引き起こされた干渉を決定するために利用することができる他の情報、を含む諸情報を含むことができる。
【００３６】
ＯＳＩ報告生成器２０８は、様々な方式においてセクタ間干渉を推定することができる。直交多重化を利用するシステムについては、受信機２０４は、各シンボル期間における各サブキャリア上でデータあるいはパイロット送信することができる。ＯＳＩ報告生成器２０８は、受信機２０４から受信されたパイロットに基づいて与えられたシンボル期間ｎにおいて与えられたサブキャリアｋの上の干渉を推定することができる。ＯＳＩ報告生成器２０８は、受信機２０４から受信されたデータに基づいて干渉を推定することができる。いくつかの態様に従って、ＯＳＩ報告生成器２０８は、チャネル応答推定値および干渉推定値の両方を得るために共同のチャンネルおよび干渉推定を行なうことができる。これらの推定値に関する詳細は、下記に提供される。
【００３７】
ＯＳＩ報告（すなわち干渉報告）は、干渉のレベル、値、あるいは干渉の量を伝達する他の手段、を表す値を含むことができる。例えば、第１の値は、過度の干渉（ｅｘｃｅｓｓｉｖｅ  ｉｎｔｅｒｆｅｒｅｎｃｅ）を示すことができる。第２の値は、高い干渉（ｈｉｇｈ  ｉｎｔｅｒｆｅｒｅｎｃｅ）を示すことができる。および、第３の値は、最小の干渉（ｍｉｎｉｍａｌ  ｉｎｔｅｒｆｅｒｅｎｃｅ）を示すことができる。受信ＯＳＩ報告に含まれた干渉値に基づいて、受信機２０４は、干渉を軽減するのを助長するために送信パワーを修正することができる。
【００３８】
いくつかの態様に従って、干渉報告は、第１の部分および第２の部分がある信号において送信される。第１の位置は、第１のＯＦＤＭシンボルにおける、そしてセクタ特有のシーケンス（sector-specific sequence）に対応し得る。第２の部分は、第２のＯＦＤＭシンボルにおける信号に対する値を掛けたセクタ特有のシーケンスに対応し得る。セクタ特有のシーケンスは、第１のおよび第２の部分で異なることができる。その代わりに、あるいは付加的に、両方のシーケンスに複素数を掛けてもよい。それは信号値に依存する。いくつかの態様に従って、第１のセクタ特有のシーケンスは、単一の複素数値Ｘを掛けたセクタに特有のランダムシーケンスを含むことができる。また、第２のシーケンスは、別の値Ｙを掛けた異なるセクタに特有のランダムシーケンスを含むことができる。いくつかの事例において、それらの複素数は単位大きさ（unit magnitude）（例えば、その数は位相シフトに対応し得る）を持っている。この明細書において、複素数は、単に、それらの位相により表わされるかもしれない。値Ｙは、値Ｘの２乗であり得る。
【００３９】
２つのシーケンスを掛ける位相は、異なることができる。位相は、０、２π／３および４π／３から成るグループから選ぶことができる。位相０、２π／３および４π／３は、３つの位相偏移キーイング（３ＰＳＫ）シグナリングを構成し、３つのシンボルの等しい大きさのコンステレーションに対するコンステレーションポイント間の最大距離を供給する。二乗値は、同じコンステレーションを形成する。したがって、コヒーレント・チャンネル（例えば良いチャネル推定が有効な時）においては、性能は繰り返された３ＰＳＫコンステレーションのそれに似ている。しかしながら、チャネル推定が有効でない場合、ＹとＸの間の位相差は、さらに３ＰＳＫコンステレーションに属する。したがって、これは差分的にコード化された３ＰＳＫシステムとして作用する。
【００４０】
ＯＳＩ報告は、ＯＳＩ報告通報器２１０により、受信機２０４および／または他の送信機（例えば他のセクタ）に送信され得る。報告に含まれていた情報に基づいて、１台以上の受信機２０４が、送信機２０２により観測されたセクタ間干渉の量を減らすために、それぞれの送信パワーを調節するかもしれない。ＯＳＩ報告通報器２１０は、周期的に、あるいは送信機２０２が過度の干渉を観測する場合にのみ、報告を送信することができる。ＯＳＩ報告が送信機２０２（例えばセクタ）間で交換されるレートは、ＯＳＩ報告が受信機２０４に同報通信されるレートと、同じか、異なることがありえる。
【００４１】
システム２００は、干渉の観測、干渉レベルの推定、１つ以上の干渉報告の作成、近隣のセクタから干渉報告の受信、に関する命令を実行するために送信機２０２（および／またはメモリ２１４）に、動作可能に接続されたプロセッサ２１２を含むことができる。いくつかの態様に従って、プロセッサは、第１のＯＦＤＭシンボルにおけるセクタ特有のシーケンスに対応する第１の部分、および第２のＯＦＤＭシンボルにおける信号に対してある値を掛けたセクタ特有のシーケンスに対応する第２の部分を含む、送信のための信号を生成するための命令を実行することができる。両方のシーケンスに、信号値に依存する複素数を掛けてもよい。メモリ２１４は、プロセッサ２１２により実行された命令と関係する情報、および無線通信ネットワークにおける情報の送信と関係する他の適当な情報を記憶することができる。
【００４２】
プロセッサ２１２は、送信機２０２（例えば干渉レベル、他のセクタからの報告など）による受信情報を分析および／または生成するための専用のプロセッサになり得る。プロセッサ２１２は、さらにシステム２００の１つ以上の構成要素を制御するプロセッサ、および／または、送信機２０２による受信情報を分析し生成し、および、システム２００の１つ以上の構成要素を制御するプロセッサ、になり得る。
【００４３】
メモリ２１４は、システム２００が、ここに説明されたワイヤレス・ネットワークにおける情報を送信するための、記憶されたプロトコルおよび／またはアルゴリズムを使用することができるように、干渉レベル推定値、生成されたＯＳＩ報告、他のセクタから受信された報告、送信機２０２と受信機２０４の間の通信を制御するためにとるアクション、などに関係するプロトコルを記憶することができる。
【００４４】
ここに説明されたデータ・ストア（例えばメモリ）構成要素が揮発性メモリまたは不揮発性メモリのいずれかになり得ること、あるいは、揮発性・不揮発性メモリの両方を含むことができることは認識されるべきである。限定ではなく例として、不揮発性メモリは、読み取り専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含むことができる。揮発性メモリは、ランダム・アクセス・メモリー（ＲＡＭ）を含むことができる。それは外部キャッシュメモリとして働く。限定ではなく例として、ＲＡＭは、シンクロナスＲＡＭ（ＤＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンスＳＤＲＡＭ（ＥＳＤＲＡＭ）、シンクリンク（Ｓｙｎｃｈｌｉｎｋ）  ＤＲＡＭ（ＳＬＤＲＡＭ）およびダイレクト・ランバス（Ｒａｍｂｕｓ）ＲＡＭ（ＤＲ  ＲＡＭ）のような多くの形式において使用可能である。開示された実施形態のメモリ２１４は、制限されずに、これらおよび他の適当なタイプのメモリを含むように意図される。
【００４５】
次に図３を参照すると、一部分受信情報に基づいて、情報を受信する、および送信パワーを修正するための実例システム３００が示されている。送信パワーの修正は、無線通信システム内の干渉を軽減することができる。
【００４６】
システム３００は、上記の図に示され説明されたシステムに類似していて、１つ以上の端末３０４と通信する１つ以上のセクタ３０２を含んでいる。各セクタ３０２は、それぞれ、セクタ３０２が仕えている端末からの希望の送信を受信するのに加えて他のセクタにおける端末からの干渉の送信を受信し得る。各セクタ３０２により観測される干渉は、同じセクタ内の端末からのセクタ内干渉（もしあれば）および／または他のセクタ内の端末からのセクタ間干渉の１つ以上の関数であり得る。セクタ間干渉つまりＯＳＩは、他のセクタにおける送信に対して直交でない各セクタにおける送信の関数である。
【００４７】
端末３０４は、サービングセクタ３０２だけでなく、通信を端末３０４によって受信することができる他のセクタからも、ＯＳＩ報告を受信するように構成され得る受信機３０６を含んでいる。したがって、各セクタ３０２は、そのそれぞれの干渉を推定し、通信可能範囲内の任意の端末へ干渉情報を伝えることができる。そのため、端末３０４は、端末３０４から多少遠いかもしれないそれらのセクタを含むいくつかのセクタからのＯＳＩをモニタするべきである。したがって、ＯＳＩ報告シグナリングは、信頼できて、端末において低い複雑さのＯＳＩＣＨ信号の検出を可能にするべきである。
【００４８】
ＯＳＩ報告は、第１の部分および第２の部分を含んでいる信号として受信することができる。第１の位置は、第１のＯＦＤＭシンボルにおけるセクタ特有のシーケンスに対応し得る。第２の部分は、第２のＯＦＤＭシンボルにおける信号に対してある値を掛けたセクタ特有のシーケンスに対応し得る。あるいは、信号値に依存する複素数を両方のシーケンスに掛けることができる。いくつかの態様に従って、セクタ特有のシーケンスが第１のおよび第２の部分で異なる場合がある。２つのシーケンスに掛ける位相は異なる場合ある。位相は、０、２π／３および４π／３から成るグループから選ぶことができる。いくつかの態様に従って、第１のセクタ特有のシーケンスは、単一の複素数値Ｘを掛けたセクタに特有のランダムシーケンスを含むことができる。また、第２のシーケンスは、別の値Ｙを掛けた異なるセクタに特有のランダムシーケンスを含むことができる。値Ｙは、値Ｘの２乗であり得る。
【００４９】
アナライザ３０８は、近隣のセクタ３０２により経験された干渉の量を決定するように構成することができる。いくつかの態様に従って、決定は、チャネル推定を導き出すために信号の第１の部分を使用してチャネル推定を行なうこと、および、第２の部分に含まれた干渉値を計算するためにそのチャネル推定を使用することを含んでいる。他の態様において、時間領域のチャンネルは、利用可能であり得るいくつかのパイロットを使用して推定することができる。例えば、ＵＭＢシステムにおいて、Ｆ−ＰＰＩＣＨとして知られているプリアンブル・パイロットチャンネルは、チャンネルを推定するために使用することができる。少数の強いパスは、この時間領域推定値から選択することができる。そして次に、２つのシンボルＯＳＩＣＨ送信は、コヒーレント（ｃｏｈｅｒｅｎｔ）方式で復調することができる。
【００５０】
経験された干渉の量を決定する別の方法は、２つのＯＦＤＭシンボルに基づくチャネル推定を使用して少数の強いパスを選択すること、および、それらのパスの各々について２つのＯＦＤＭシンボルにわたって位相を相関すること、を含んでいる。異なる相関値は、全体の相関値を得るためにともに加えることができる。この相関値の位相は、ＯＳＩ値を決定するために使用することができる。
【００５１】
干渉の量は、１つの態様に従って、過度の干渉、高い干渉、あるいは最小の干渉（例えば、過度（ｅｘｃｅｓｓｉｖｅ）、高い（ｈｉｇｈ）、および、低い（ｌｏｗ））になり得る。代替分類手段の一例は、「０」が最小の干渉を示し、「１」は高い干渉を示し、そして「２」は非常に高い過度の干渉を示す、命番方式である。しかしながら、干渉を分類する他の手段を利用することができることは理解されるに違いない。
【００５２】
近隣のセクタ３０２により経験された干渉の量に基づいて、調節器３１０は、送信パワーを修正するように構成することができる。それは送信パワーを低減する、同じ送信パワーを維持する、あるいは送信パワーを高めることを含むことができる。例えば、アナライザ３０８が、干渉レベルが過度（ｅｘｃｅｓｓｉｖｅ）であると決定した場合、調節器３１０は、速いレート、および／または  大きなダウンステップ幅で送信パワーを低減することができる。干渉レベルが高い（ｈｉｇｈ）と決定された場合、調節器３１０は、基準の（ｎｏｍｉｎａｌ）ダウンステップ幅および／または基準のレートで送信パワーを低減することができる。干渉レベルが、低い（low ）または最小（minimal）、であるとアナライザ３０８により決定された場合、調節器３０８は、基準のアップステップ幅、および／または、基準のレートでその送信パワーを高めるかもしれない。いくつかの態様に従って、干渉レベルが低い場合、調節器３０８は、パワーレベルは同じままであるべきであり、調整がなされるべきではないと決定するかもしれない。
【００５３】
いくつかの態様に従って、ステップ幅および／または、調節レートは、端末３０４に対する現在の送信パワーレベル、サービングセクタのチャネル利得に対する近隣のセクタのチャネル利得、事前のＯＳＩ報告など、を含む他のパラメータに基づいて決定することができる。調節器３１０は、１つ、あるいは複数の近隣のセクタから受信されたＯＳＩ報告に基づいて送信パワーを修正することができる。
【００５４】
システム３００は、１つ以上のＯＳＩ報告を受信すること、報告に含まれていた情報を分析すること、１つ以上のセクタにより経験された干渉レベルを決定することに関する命令を実行するように端末３０４（および／またはメモリ３１４）に動作可能に接続されたプロセッサ３１２を含むことができる。プロセッサ３１２は、さらに１つ以上のセクタにより経験された干渉レベルに基づいて送信パワーレベルの調節すること、送信パワーを修正するレートおよび／またはレベルを決定すること、または、送信パワーレベルを変更しないことを決定すること、に関する命令を実行することができる。
【００５５】
プロセッサは、さらに、第１のＯＦＤＭシンボルにおけるセクタ特有のシーケンスに対応する第１の部分、および  第２のＯＦＤＭシンボルにおける信号に対してある値を掛けたセクタ特有のシーケンスに対応する第２の部分を含む信号を受信すること、チャネル推定を導き出すために第１の部分を使用してチャネル推定を行なうこと、第２の部分に含まれた値を計算するためにチャネル推定を使用すること、に関する命令を実行することができる。いくつかの態様に従って、両方のシーケンスに信号値に依存する複素数を掛けることができる。メモリ３１４は、プロセッサ３１４により実行される命令に関係する情報、および無線通信ネットワークにおける情報を受信することに関係する他の適当な情報、を記憶することができる。
【００５６】
プロセッサ３１２は、端末３０４による受信情報（例えばＯＳＩ報告、干渉レベルなど）を分析する、および／または、生成する専用のプロセッサであり得る。プロセッサ３１２は、さらに、システム３００の１つ以上の構成要素を制御するプロセッサ、および／または、送信機３０２による受信情報を分析し生成する、および、システム３００の１つ以上の構成要素を制御するプロセッサ  になり得る。
【００５７】
メモリ３１６は、干渉レベル推定値に関連したプロトコル、受信したＯＳＩ報告、および現在の送信パワーレベルを記憶することができる。メモリ３１６は、さらに、サービングセクタのチャネル利得に対する近隣のセクタのチャネル利得に関するプロトコル、および、１つ以上の以前のＯＳＩ報告、を記憶することができる。さらに、メモリ３１６は、システム３００がここに説明されるようなワイヤレス・ネットワークにおいて情報を送信するために記憶されたプロトコルおよび／またはアルゴリズムを使用することができるように、端末３０４とセクタ３０２の間の通信を制御するための処置を講ずることなどに関するプロトコルを記憶することができる。
【００５８】
上に示され説明された典型的なシステムを考慮して、開示された主題に従って実装され得る方法は、図４〜８のフローチャートを参照することにより一層良く認識されるだろう。説明の単純化の目的のために、方法が、一連のブロックとして示され説明されるが、いくつかのブロックがここに描かれ説明されるものとは異なる順序、および／または他のブロックと同時に生じることができるごとく、請求された主題がブロックの数または順序により制限されていないことは、理解され認識されるべきである。さらに、示されたブロックのすべてが以下に説明される方法を実現するために必要とされるとは限らないかもしれない。ソフトウェア、ハードウェア、それらの組合せあるいは他の適当な手段（例えば装置、システム、プロセス、構成要素）によりブロックに関連した機能が実現されてもよいことは認識されるべきである。加えて、以下およびこの明細書の全体にわたって開示された方法が、様々な装置にそのような方法を運び転送することを容易にするために製造の物品上に格納されることができることは、さらに認識されるべきである。当業者は、方法は状態遷移図におけるように一連の相互関係がある状態あるいはイベントとして代替的に表すことができるかもしれないことを理解し認識するだろう。
【００５９】
図４は、無線通信ネットワーク内のユーザーベースの干渉制御に関する情報の送信のための方法４００を示す。４０２において、他のセクタの端末からの干渉が観測される。観測された干渉に一部分基づいて、干渉推定値が４０４で生成される。いくつかの態様に従って、４０４で生成される情報は、干渉推定値である必要がなく、生の測定値、あるいは他のセクタの端末に対して得られたしきい値、を選定することができる。
【００６０】
４０６において、他のセクタ干渉（Ｏｔｈｅｒ  Ｓｅｃｔｏｒ  Ｉｎｔｅｒｆｅｒｅｎｃｅ）（ＯＳＩ）報告は、干渉推定値に基づいて生成される。ＯＳＩ報告は、観測されたセクタ間干渉の量を伝える、そして、様々な形式において与えることができる、それは以下にさらに詳細に説明されるだろう。ＯＳＩつまり干渉の報告は、第１の部分および第２の部分を含む信号において生成され送信することができる干渉値を含んでいる。信号の第１の部分は、第１のＯＦＤＭシンボルにおけるセクタ特有のシーケンスに対応し得る。信号の第２の部分は、第２のＯＦＤＭシンボルにおける信号に対してある値を掛けたセクタ特有のシーケンスに対応し得る。いくつかの態様に従って、両方のシーケンスに信号値に依存する複素数を掛けることができる。
【００６１】
信号の第１の部分は、単一の複素数値Ｘを掛けたセクタに特有のランダムシーケンスを含むことができる。信号の第２の部分は、別の値Ｙを掛けた異なるセクタに特有のランダムシーケンスを含むことができる。値Ｙは、値Ｘの２乗になりえる。
【００６２】
付加的にあるいは代替的に、信号の第１の部分は信号の第２の部分とは異なっているセクタ特有のシーケンスを持っている。また、２つのシーケンスを掛ける位相は異なることができる。位相は、０、２π／３および４π／３から成るグループから選ぶことができる。それは、３位相シフトキーイング（３ＰＳＫ）シグナリングを構成することができ、３つのシンボルの等しい大きさコンステレーションに対してコンステレーションポイント間の最大距離を提供することができる。二乗値は同じコンステレーションを形成する。したがって、コヒーレント・チャンネル（例えば、良いチャネル推定が利用可能なとき）においては、性能は繰り返された３ＰＳＫコンステレーションのそれに類似している。しかしながら、チャネル推定が利用可能でない場合、値Ｙおよび値Ｘの間の位相差は、やはり３ＰＳＫコンステレーションに属する。したがって、これは差分符号化された３ＰＳＫシステムとして作用する。
【００６３】
４０６で、ＯＳＩ報告は、同報通信されるか、あるいは他の方法で隣接セクタの端末へ提供される。これらの端末は、４０２で、観測されたセクタ間干渉の量を減らすために必要ならば、ＯＳＩ報告に基づいてそれらの送信パワーを調節するかもしれない。いくつかの態様に従って、干渉レベルが最小の場合、端末は送信パワーを高めることができる。無線通信ネットワーク内のユーザーベースの干渉制御に関する情報の送信に関する詳細情報、は以下に提供される。
【００６４】
関連する態様に従って、図５は、無線通信ネットワーク内のネットワークベースの干渉制御に関する情報の送信のための方法５００を示す。５０２で、他のセクタにおける端末からの干渉は観測される。観測された干渉に基づいて、ＯＳＩ報告は、５０４で生成される。それは、図４に関して議論された同じＯＳＩ報告であり得る、そして、干渉しきい値、干渉測定、伝送損失、他のセクタで測定された第１のセクタの端末からの受信パワーに関連づけられた情報、および／または、ＯＳＩ報告を受信することができる第１のセクタおよび別のセクタの端末により引き起こされる干渉を決定するために利用され得る他の情報、を含むことができる。５０６において、ＯＳＩ報告は、隣接セクタへ周期的に、あるいは、５０４において過度の干渉が観測される場合にのみ、送信される。
【００６５】
５０８で、近隣のセクタからのＯＳＩ報告は受信される。ＯＳＩ報告が、セクタの間で交換されるレートは、ＯＳＩ報告が図４における端末へ同報通信されるレートと同じかあるいは異なるかもしれない。第１のセクタは、隣接セクタから受信されたＯＳＩ報告に基づいて第１のセクタ内の端末に対して、５１０で、データ送信を調整することができる。無線通信ネットワーク内のネットワークベースの干渉制御に関する情報送信に関する詳細情報は、以下に提供される。
【００６６】
図４および５に関して、第１のセクタは、様々な方式においてセクタ間干渉を推定することができる。直交多重化を利用する通信ネットワークについては、１つの端末は、各シンボル期間における各サブキャリア上でデータまたはパイロットを送信することができる。パイロットは、送信機と受信機の両方に対して先験的に既知であるシンボルの送信である。データシンボルは、データに対する変調シンボルである。パイロットシンボルはパイロットに対する変調シンボルである。そして、変調シンボルは、信号のコンステレーション（例えばＭ−ＰＳＫ、Ｍ−ＱＡＭなどについて）のポイントに対する複素数値である。
【００６７】
第１のセクタ（例えばセクタｍ）は、端末ｕから受信されたパイロットに基づいて与えられたシンボル期間ｎにおいて与えられたサブキャリアｋ上の干渉を以下のように推定することができる：
【数１】
0005612052.tif 000002
【００６８】
ただし、Ｐｕ（ｋ，ｎ）は、シンボル期間ｎにおいてサブキャリアｋ上で端末ｕにより送信されたパイロットシンボルである。
【数２】
0005612052.tif 000003
【００６９】
は、セクタｍおよび端末ｕの間のチャネル利得の推定値である。
【００７０】
Ｒｍ，ｕ（ｋ，ｎ）は、端末ｕからセクタｍにより得られた受信シンボルである。そして、Ｉｍ，ｕ（ｋ，ｎ）は、セクタｍにより観測された干渉の推定値である。式（１）における量はスカラーである。
【００７１】
セクタｍは、さらに端末ｕから受信されたデータに基づいて干渉を以下のように推定することができる。
【数３】
0005612052.tif 000004
【００７２】
ただし、
【数４】
0005612052.tif 000005
【００７３】
は、シンボル期間ｎにおいてサブキャリアｋ上で端末ｕにより送信されたデータシンボルの推定値である。セクタｍは、検出されたシンボルを得るためにチャネル推定値
【数５】
0005612052.tif 000006
【００７４】
により受信シンボル  Ｒｍ，ｕ（ｋ，ｎ）上でデータ検出を行ない、検出されたシンボルに基づいて硬判定を導き出し、そして、データシンボル推定値として硬判定を使用することにより、データシンボル推定値
【数６】
0005612052.tif 000007
【００７５】
を導き出すことができる。あるいは、セクタｍは、受信シンボル上でデータ検出を行なうこと、復号データを得るために検出されたシンボルをデコードすること、そして、データシンボル推定値を得るために復号データをシンボルマッピングし、再符号化することによって、データシンボル推定値を導き出すことができる。セクタｍは、チャネル応答推定値および干渉推定値の両方を得るためにジョイント・チャンネル（ｊｏｉｎｔ  ｃｈａｎｎｅｌ）および干渉推定を行なうことができる。
【００７６】
セクタｍは、チャネル応答推定値および干渉推定値の両方を得るためにジョイント・チャンネル（ｊｏｉｎｔ  ｃｈａｎｎｅｌ）および干渉推定を行なうことができる。上記の式（１）か式（２）から得られた干渉推定値Ｉｍ，ｕ（ｋ，ｎ）は、セクタ間干渉およびセクタ内干渉の両方を含んでいる。しかし、これはそのケースである必要がない。
【００７７】
端末は、一般に、端末から多少遠くに離れているかもしれないセクタを含む、いくつかのセクタからのＯＳＩをモニタする必要がある。したがって、モバイルにおいて、信頼できて、複雑でないＯＳＩＣＨ信号検出を可能にするＯＳＩ報告シグナリングに関するニーズがある。
【００７８】
一態様において、ＯＳＩ報知信号（例えばＳの値をもつ）は、ＯＦＤＭシステムにおける２つのＯＦＤＭシンボル上でコード化することができる。１つのＯＦＤＭシンボルは、セクタ特有のシーケンスＸ１（ｔ）を含み得る。その一方で、他方は、Ｓとセクタ特有のシーケンスＸ２（ｔ）の積（例えばＳＸ２（ｔ））を含み得るであろう。次に、端末は、第１のシンボルを使用して、チャネル推定を行ない、そして、第２のシンボルを使用して、Ｓの値を計算するために導出されたチャネル推定を使用することができる。
【００７９】
別の態様において、さらに第１のＯＦＤＭシンボルの上のシグナリングＳＸ１（ｔ）および第２のＯＦＤＭシンボルの上のＳ２Ｘ２（ｔ）により、シグナリングを向上させることができるかもしれない。端末に対象となるセクタに対応するチャネル情報がない場合、それは、２つのシンボルにおける信号がそれでもなお位相値Ｓだけ異なるので、前節に説明されたアルゴリズムを使用することができるであろう。しかしながら、チャネル推定が他のいくつかのソースから利用可能な場合、２つのシンボルを共同して検出する向上させられた検出アルゴリズムを使用することができる。
【００８０】
上に説明された符号化方式が、セクタからのオーバヘッドチャネルまたは他の制御チャンネルに対して使用され得ること、および、他の装置からのチャンネルに使用され得ることは注意されるべきである。
【００８１】
一態様において、ＯＳＩは、少なくとも６つのＯＦＤＭシンボルを含むスーパーフレーム・プリアンブルのＯＦＤＭシンボル５および６の上で送信され得る。スーパーフレーム・プリアンブルは、３つのＯＳＩ値｛０、１、２｝のうちの１つを運ぶことができる。ここで、各値は、また第２のＯＦＤＭシンボルの位相（例えば、０、π／２、およびπのそれぞれ）に対応させることができる。
【００８２】
それらの態様において、ＯＳＩ報告が、各スーパーフレーム・プリアンブルにおけるインデックス５および６を持つＯＦＤＭシンボルを含み得る場合には、ＯＳＩ報告は、３つの状態量のＯＳＩ値（例えば、値０、１、または２を取る）を搬送する。ＯＦＤＭシンボル５は、図６の方法に従って構築され得る。
【００８３】
図６は、態様に従って、ＯＦＤＭシンボル５を構築する方法６００を示す。６０２において、長さ５１２のスクランブル・シーケンスＦＯＳＩＣＨ−５は、入力シード［００００  ０００１１００１１０００  ００００］、あるいは、いくつかの他の所定の入力シード値により共通のＢＰＳＫスクランブル用アルゴリズムを使用して、生成される。長さ５１２のシーケンスＸ５は、６０４において生成される。ただしＸ５（ｋ）＝ＦＯＳＩＣＨ−５（ｋ）＊ＷＰ５１２（ｋ）、ただし、ＰはプリアンブルＰＮ（ＰｒｅａｍｂｌｅＰＮ）である。また、ＷＰ５１２は、インデックスＰおよび長さ５１２を持つウォルシュ・シーケンスである。Ｙ５はＸ５のＤＦＴとする。
【００８４】
６０６において、複素数ＳＯＳＩＣＨはセットされる。ＯＳＩ値が０である場合、複素数ＳＯＳＩＣＨは、（１，０）にセットされる。ＯＳＩ値が１である場合、複素数ＳＯＳＩＣＨは、（０，１）にセットされる。ＯＳＩ値が２である場合、複素数ＳＯＳＩＣＨは、（−１，０）にセットされる。６０８において、もしそれが使用可能なサブキャリアならば、ＯＦＤＭシンボルｉにおけるＣｈｏｓｅｎＰｒｅａｍｂｌｅＳｕｂｃａｒｒｉｅｒＳｅｔの内のインデックスｊのサブキャリアは、値
【数７】
0005612052.tif 000008
【００８５】
により変調される。使用されるＰＯＳＩＣＨの正確な値は、この明細書の範囲外である。
【００８６】
図７は、態様に従ってＯＦＤＭシンボル６を構築する方法７００を示す。７０２で、長さ５１２のスクランブル・シーケンスＦＯＳＩＣＨ−６は、入力シード［０００１  ００１１  １０００  ０１１１  １０００］、あるいは、いくつかの他の所定の入力シード値で共通のＢＰＳＫスクランブル用アルゴリズムを使用して、生成される。７０４で、長さ５１２のシーケンスＸ６は、作成さる。ただし、Ｘ６（ｋ）＝ＦＯＳＩＣＨ−６（ｋ）＊ＷＴＭＰ５１２（ｋ）である。ここで、ＴＭＰは準同期モード（SemiSynchronous mode）におけるＰｒｅａｍｂｌｅＰＮと等しく、非同期モード（Asynchronous mode）における９ビットのスーパーフレーム・インデックスと等しい。ＷＴＭＰ５１２は、インデックスＴＭＰおよび長さ５１２を持ったウォルシュ・シーケンスである。Ｙ６はＸ６のＤＦＴとする。
【００８７】
７０６において、複素数ＳＯＳＩＣＨはセットされる。ＯＳＩ値が０である場合、複素数ＳＯＳＩＣＨは（１，０）にセットされる。ＯＳＩ値が１である場合、複素数ＳＯＳＩＣＨは（０，１）にセットされる。ＯＳＩ値が２である場合、複素数ＳＯＳＩＣＨは（−１，０）にセットされる。もしそれが使用可能なサブキャリアならば、ＯＦＤＭシンボルｉにおけるＣｈｏｓｅｎＰｒｅａｍｂｌｅＳｕｂｃａｒｒｉｅｒＳｅｔの内のインデックスｊを有するサブキャリアは、値
【数８】
0005612052.tif 000009
【００８８】
により、７０８で変調される。ＰＯＳＩＣＨの値は、図６に関して議論されたＯＦＤＭシンボル５の生成に使用されたそれと同じである。
【００８９】
次に図８を参照して、無線通信ネットワークにおける干渉制御のための方法８００が示される。方法は、１つ以上の端末により利用することができる。８０２で、ＯＳＩ報告は、近隣のセクタから受信される。この報告は、セクタ間干渉（例えば近隣のセクタの受信機により引き起こされる干渉）の値を伝えるために利用することができる。ＯＳＩ報告は、２つの部分を含んでいる信号で受信することができる。
【００９０】
ＯＳＩ報告に含まれている干渉情報は、８０４で分析され、８０６で決定はなされる。そこでは、隣接のセクタが過度の干渉（excessive interference）を観測する。過度の干渉が観測されている  （“ＹＥＳ”）場合、方法８００は、８１０に続き、そして、端末は、大きなダウンステップ幅および／または高速で、その送信パワーを低減する。
【００９１】
８０６の決定が、近隣のセクタが過度の干渉を観測していないということである場合、方法８００は、８１０に続き、隣接セクタが高い干渉（high interference）を観測するかどうか決定する。近隣のセクタが高い干渉を観測することが決定された（“ＹＥＳ”）場合、８１２で、端末は、基準のダウンステップ幅および／または基準の速さでその送信パワーを低減する。８１０における決定が、近隣のセクタが高い干渉を経験していない（ “Ｎｏ”）ということである場合、それは近隣のセクタにより観測された干渉レベルがしきい値未満であることを示すことができる。８１４において、端末は、基準のアップステップ幅および／または基準の速さで、送信パワーを高めることができる。いくつかの態様に従って、８１４において、送信パワーは、高められずに、同じままである。
【００９２】
図８は、ＯＳＩ報告が、あり得る３レベル（低い（ｌｏｗ）、高い（ｈｉｇｈ）、過度（ｅｘｃｅｓｓｉｖｅ））のうちの１つにおける隣接セクタにより観測されたセクタ間干渉を伝える実施形態を示す。方法８００は、任意の数の干渉レベルをカバーするように拡張することができる。一般に、端末に対する送信電力は、（１）測定された干渉が与えられたしきい値の上にある時、隣接セクタによって観測された干渉の量と関係しているダウンステップ（例えば、より高い干渉に対してより大きなダウンステップで）によって減少され得る、および／または、（２）測定された干渉が与えられたしきい値未満である時、隣接セクタによって観測された干渉の量の逆にアップステップ（例えば、より低い干渉に対してより大きなアップステップで）によって増加させられ得る。ステップ幅および／または調節レートは、さらに、例えば、端末に対する現在の送信パワーレベル、サービングセクタのチャネル利得に関係する隣接セクタのチャネル利得、先のＯＳＩ報告などのような他のパラメータに基づいて決定され得る。端末は、１あるいは複数の隣接セクタからのＯＳＩ報告に基づいてその送信パワーを調節することができる。
【００９３】
図９は、端末９２０ｘ、サービング基地局９１０ｘ、および隣接基地局９１０ｙの実施形態のブロック図を示す。リバースリンク上で、端末９２０ｘにおいて、ＴＸデータプロセッサ９１０は、リバースリンク（ＲＬ）トラフィックデータおよび制御データの符号化、インターリーブ、および、シンボルマッピングを行う、そして、データシンボルを供給する。変調器（Ｍｏｄ）９１２は、適切なサブバンドおよびシンボル期間上にデータシンボルとパイロットシンボルをマッピングし、適用可能な場合ＯＦＤＭ変調を行ない、複素数の値のチップのシーケンスを供給する。送信機ユニット（ＴＭＴＲ）９１４は、チップのシーケンスを調整（例えば、アナログに変換、増幅、フィルタ、および、周波数アップコンバート）し、リバースリンク信号を生成し、そして、それはアンテナ９１６を介して送信される。
【００９４】
サービング基地局９１０ｘにおいて、複数のアンテナ９５２ｘａ〜９５２ｘｔは、端末９２０ｘおよび他の端末からのリバースリンク信号を受信する。各アンテナ９５２ｘは、それぞれの受信機ユニット（ＲＣＶＲ）９５４ｘに受信信号を供給する。各受信機ユニット９５４ｘは、その受信信号を調整（例えば、フィルタ、増幅、周波数ダウンコンバート、およびディジタル化）する、適用可能な場合、ＯＦＤＭ復調を行ない、受信シンボルを供給する。Ｒｘの空間のプロセッサ９５８は、すべての受信機ユニットからの受信シンボル上で受信空間の処理を行なう、そしてデータシンボル推定値を供給する、それは送信データシンボルの推定値である。Ｒｘデータプロセッサ９６０ｘは、データシンボル推定値のデマッピング、デインターリーブ、デコードを行い、基地局９１０ｘが現在取り扱っている端末９２０ｘおよび他の端末の復号データを供給する。
【００９５】
フォワードリンク送信に関する処理は、リバースリンクについて上に説明されたことと同様に行なわれ得る。フォワードとリバースリンク上の送信についての処理は、一般に、システムにより指定される。
【００９６】
干渉とパワー制御について、サービング基地局９１０ｘにおいて、Ｒｘ空間プロセッサ９５８ｘは、端末９２０ｘに対する受信ＳＮＲを推定し、基地局９１０ｘにより観測されるセクタ間干渉を推定し、コントローラ９７０ｘに、端末９１０ｘのＳＮＲ推定値および干渉推定値（例えば、測定された干渉Ｉｍｅａｓ，ｍ）を供給する。コントローラ９７０ｘは、ＯＳＩ報告を生成することができる。コントローラ９７０ｘは、さらに通信（Ｃｏｍｍ）ユニット９７４ｘを介して隣接セクタからＯＳＩ報告を受信することができる。基地局９１０ｘに対するＯＳＩ報告、および、ことによると他のセクタに対するＯＳＩ報告は、ＴＸデータプロセッサ９８２ｘおよびＴＸ空間プロセッサ９８４ｘにより処理され、送信機ユニット９５４ｘａ〜９５４ｘｔにより調整され、アンテナ９５２ｘａ〜９５２ｘｔを介して送信される。基地局９１０ｘからのＯＳＩ報告は、例えば、バックホール（ｂａｃｋｈａｕｌ）あるいは他のワイヤード通信リンクを介して通信ユニット９７４ｘを介して隣接セクタへ送信され得る。
【００９７】
隣接基地局９１０ｙにおいて、Ｒｘ空間プロセッサ９５８ｙは、基地局９１０ｙにより観測されたセクタ間干渉を推定し、コントローラ９７０ｙに干渉推定値を供給する。コントローラ９７０ｙは、ＯＳＩ報告を生成することができる。ＯＳＩ報告は、システムにおける端末へ処理され同報通信される。ＯＳＩ報告は、通信ユニット９７４ｙを介して隣接セクタへ送信され得る。
【００９８】
端末９２０ｘにおいては、アンテナ９１６が、サービング基地局と隣接の基地局からフォワードリンク信号を受信し、受信機ユニット９１４に受信信号を供給する。受信信号は、受信機ユニット９１４により調整されディジタル化され、復調器（Ｄｅｍｏｄ）９４２およびＲｘデータプロセッサ９４４によってさらに処理される。プロセッサ９４４は、隣接基地局により同報通信されたＯＳＩ報告を供給する。復調器９４２内のチャンネル推定器は、各基地局のチャネル利得を推定する。コントローラ９２０は、さらに隣接基地局から受信したＯＳＩ報告、およびサービング基地局と隣接基地局に対するチャネル利得に基づいてトラフィックチャネルに対する送信パワーを調節する。コントローラ９２０は、ターミナル９２０ｘに割り当てられたトラフィックチャネルに対する送信パワーを供給する。プロセッサ９１０および／または変調器９１２は、コントローラ９２０により供給される送信パワーに基づいてデータシンボルをスケーリングする。
【００９９】
コントローラ９２０、９７０ｘおよび９７０ｙは、それぞれ、端末９２０ｘおよび基地局９１０ｘ、および９１０ｙにおける各種処理ユニットの動作を指示する。これらのコントローラは、さらに干渉とパワー制御に対する様々な機能を行ない得る。スケジューラ９８０ｘは、基地局９１０ｘとの通信のために端末をスケジュールし、さらに、例えば、隣接基地局からのＯＳＩ報告に基づいて、スケジュールされた端末にトラフィックチャネルを割り当てる。
【０１００】
図１０に関して、干渉情報を提供するため実例システム１０００が示される。例えば、システム１０００は、基地局内に少なくとも部分的に存在してもよい。システム１０００は、プロセッサ、ソフトウェアあるいはそれらの組合せ（例えばファームウェア）により実装される機能を表す機能的ブロックであり得る機能的ブロックを含んでいるごとく表されることが認識されるべきである。
【０１０１】
システム１０００は、別々にあるいは結合されて動作することができる電気的構成要素（ｅｌｅｃｔｒｉｃａｌ  ｃｏｍｐｏｎｅｎｔ）の論理グループ１００２を含んでいる。例えば、論理グループ１００２は、第１のＯＦＤＭシンボルにおけるセクタ特有のシーケンスに対応する信号の第１の部分を生成するための電気的構成要素１００４を含んでいてもよい。さらに、論理グループ１００２は、第２のＯＦＤＭシンボルにおける信号にある値を掛けたセクタ特有のシーケンスに対応する信号の第２の部分を生成するための電気的構成要素１００６を含むかもしれない。いくつかの態様に従って、信号値に依存する複素数を両方のシーケンスに掛けることができる。
【０１０２】
信号は干渉報告を含むことができる。また、値は干渉値を含む。いくつかの態様に従って、第１のセクタ特有のシーケンスは、単一の複素数値Ｘを掛けたセクタに特有のランダムシーケンスを含むことができる。また、第２のシーケンスは、別の値Ｙを掛けた異なるセクタに特有のランダムシーケンスを含むことができる。値Ｙは、値Ｘの２乗になりえる。
【０１０３】
他の態様に従って、異なるセクタ特有のシーケンスは、第１の部分および第２の部分に関する。２つのシーケンスに掛ける位相は異なるかもしれない。位相は、０、２π／３および４π／３から成るグループから選ぶことができる。
【０１０４】
さらに、システム１０００は、電気的構成要素１００４および１００６、他の構成要素に関連した機能を実行するための命令を保存するメモリ１００８を含むことができる。メモリ１００８に対して外側にあるとして示されたが、電気的構成要素１００４および１００６の１つ以上がメモリ１００８内に存在してもよいことが理解されるべきである。
【０１０５】
図１１を参照して、干渉情報の処理のための実例システム１１００が示される。例えば、システム１１００は、端末内に少なくとも部分的に存在し得る。プロセッサ、ソフトウェアあるいはそれらの組合せ（例えばファームウェア）により実装された機能を表す機能的ブロックかもしれない機能的ブロックを含んでいるとしてシステム１１００が表されることが認識されるべきである。
【０１０６】
システム１１００は、別々にあるいは結合して動作することができる電気的構成要素の論理グループ１１０２を含んでいる。例えば、論理グループ１１０２は、信号を受信するための電気的構成要素１１０４を含み得る。その信号は、第１の部分および第２の部分を含むことができる。第１の部分は、第１のＯＦＤＭシンボルにおけるセクタ特有のシーケンスに対応する、および第２の部分は、第２のＯＦＤＭシンボルにおける信号に対してある値を掛けたセクタ特有のシーケンスに対応する場合がある。いくつかの態様に従って、信号の値に依存する複素数を両方のシーケンスに掛ける。
【０１０７】
さらに、論理グループ１１０２は、ＯＳＩレベルを決定するために１番目と２番目部分を利用するための電気的構成要素を含むことができる。信号は、干渉報告を含むことができる。また、値は干渉値を含む。付加的にあるいは代替的に、論理グループ１１０２は、ＯＳＩ値に基づいて送信パワーレベルの修正のための電気的構成要素を含むことができる。ＯＳＩ値は、過度の干渉、高い干渉あるいは最小の干渉のうちの１つを示す。
【０１０８】
論理グループ１１０２は、チャネル推定を導き出すために第１の部分を使用して、チャネル推定を行なうための電気的構成要素を含むことができる。さらに、信号に含まれた値を計算するための電気的構成要素が含まれ得る。その値は、第２の部分に含まれた値を計算するためにチャネル推定を使用することにより導き出すことができる。
【０１０９】
いくつかの態様に従って、第１のセクタ特有のシーケンスは、単一の複素数値Ｘを掛けたセクタに特有のランダムシーケンスを含むことができる。また、第２のシーケンスは、別の値Ｙを掛けた異なるセクタに特有のランダムシーケンスを含むことができる。  ただし、値Ｙは値Ｘの２乗である。他の態様に従って、異なるセクタ特有のシーケンスは第１の部分および第２の部分に関する。２つのシーケンスに掛ける位相は異なる場合がある。位相は、０および２π／３および４π／３から成るグループから選ぶことができる。
【０１１０】
さらに、システム１１００は、電気的構成要素１１０４、１１０６および１１０８、または他の構成要素に関連した機能を実行するための命令を保存するメモリ１１１０を含むことができる。メモリ１１１０の外側にあることとして示されたが、電気的構成要素１１０４、１１０６および１１０８の１つ以上が、メモリ１１１０内に存在し得ることを理解するべきである。
【０１１１】
開示されたプロセスのステップの特定の順序または階層が、典型的なアプローチの一例であることは理解される。設計の選択に基づいて、現在の開示の範囲内でとどまる一方、プロセスのステップの特定の順序か階層が再配置され得ることは理解される。随伴する方法は、例示の順序における様々なステップの存在する要素を請求し、示された特定の順序または階層に制限されることを意図していない。
【０１１２】
当業者は、情報と信号が、様々な異なる技術および技法のうちの任意のものを使用して表され得ることを理解するだろう。例えば、上記の説明の全体にわたって参照され得るデータ、命令、コマンド、情報、信号、ビット、シンボルおよびチップは、電圧、電流、電磁波、磁界か磁気粒子、光学界か光粒子、あるいは、それらの任意の組合せにより表され得る。
【０１１３】
当業者は、ここに開示された実施形態に関して説明された様々な実例となる論理ブロック、モジュール、回路、およびアルゴリズム・ステップが、電子ハードウェア、コンピュータ・ソフトウェア、あるいは両者の組合せとして実装され得ることを、さらに認識するだろう。ハードウェアとソフトウェアのこの互換性を明白に示すために、様々な実例となる構成要素、ブロック、モジュール、回路、およびステップは、それらの機能の点から一般的に上記で説明された。そのような機能がハードウェアまたはソフトウェアとして実装されるかどうかは、システム全体に課された特定の用途と設計の制約に依存する。当業者は、各特定用途に対して様々な仕方で説明された機能を実装することができる。しかし、そのような実装の決定は現在の開示の範囲からの逸脱を引き起こすとは解釈されるべきでない。
【０１１４】
様々な実例となる論理ブロック、モジュール、およびここに開示された実施形態に関して説明された回路は、汎用プロセッサ、ディジタル信号プロセッサ（ＤＳＰ）、特定用途向けＩＣ（ＡＳＩＣ）、フィールドプログラマブルゲートアレイ（ＦＰＧＡ）あるいは他のプログラマブルロジックデバイス、個別のゲートかトランジスタ・ロジック、個別のハードウェア構成機器あるいはそれらのここに説明された機能を行なうことを目指した任意の組合せ、により実装されてもよいし行なわれてもよい。汎用プロセッサは、マイクロプロセッサかもしれない。しかし、他の選択肢において、プロセッサは任意の従来のプロセッサ、コントローラ、マイクロコントローラあるいは状態機械かもしれない。プロセッサは、さらに、コンピューティング装置（例えばＤＳＰとマイクロプロセッサの組合せ、複数個のマイクロプロセッサ、ＤＳＰコアと結合した１個以上のマイクロプロセッサ、あるいは他のそのような構成）の組合せとして実装されてもよい。
【０１１５】
ここに開示された実施形態に関して説明された方法またはアルゴリズムのステップは、ハードウェア、プロセッサにより実行されるソフトウェアモジュール、あるいは、２つの組合せで直接具現化されてもよい。ソフトウェアモジュールは、ＲＡＭメモリ、フラッシュ・メモリ、ＲＯＭメモリ、ＥＰＲＯＭメモリ、ＥＥＰＲＯＭメモリ、レジスタ、ハードディスク、取外し可能ディスク、ＣＤ−ＲＯＭあるいは、その技術において既知の任意の他の形式の記憶媒体に存在してもよい。典型的な記憶媒体は、プロセッサがその記憶媒体から情報を読むことができ、その記憶媒体に情報を書き込むことができるように、プロセッサに結合されている。あるいは、記憶媒体はプロセッサと一体かもしれない。プロセッサと記憶媒体は、ＡＳＩＣに存在してもよい。ＡＳＩＣは、ユーザー端末に存在してもよい。他の選択肢において、プロセッサと記憶媒体は、ユーザー端末の個別部品として存在してもよい。
【０１１６】
示された実施形態の以前の説明は任意の当業者も現在の開示を作るか使用することを可能にするために提供される。これらの実施形態の様々な修正は当業者に容易に明白になる。また、ここに定義された一般的な法則は、開示の精神か範囲から外れずに、他の実施形態に適用されてもよい。したがって、現在の開示は、ここに示された実施形態に制限されるようには意図されず、ここに示された法則および新規な機能と一致する最も広い範囲を与えられることになっている。
【０１１７】
ソフトウェア・インプリメンテーションのための、ここに説明された技法は、ここに説明された機能を行なうモジュール（例えば手続き、機能など）により実装されてもよい。ソフトウェアコードは、メモリに記憶され、プロセッサにより実行されてもよい。メモリユニットはプロセッサ内に実装されるかもしれない、あるいはプロセッサの外部に実装されるかもしれない。その場合には、その技術分野において知られているごとくの様々な手段によって通信できるようにプロセッサに結合され得る。
【０１１８】
さらに、ここに説明された種々の態様または機能は、方法、装置、あるいは製造物品として  標準のプログラミングおよび／またはエンジニアリング技法を使用して実現され得る。ここに使用されるような用語「製造の物品」は、任意のコンピュータ可読装置、担体あるいは媒体からアクセス可能なコンピュータプログラムを包含するように意図される。例えば、コンピュータ可読媒体は、磁気記憶装置（例えばハードディスク、フロッピー（登録商標）ディスク、磁気ストリップ、など）、光ディスク（例えばコンパクトディスク（ＣＤ）、ディジタルバーサタイルディスク（ＤＶＤ）、など）、スマート・カード、およびフラッシュメモリデバイス（例えばＥＰＲＯＭ、カード、ステック、キードライブ、など）を、これらに限定されずに、含むことができる。  さらに、ここに説明された様々な記憶媒体は、情報を記憶するための１つ以上のデバイスおよび／または他の機械可読媒体を表すことができる。用語「機械可読媒体」は、限定されずに、命令（ｓ）および／またはデータを、記憶する、含む、および／または運ぶことができるワイヤレス・チャンネルおよび様々な他の媒体を含むことができる。
【０１１９】
上に説明されたものは、１つ以上の実施形態の例を含んでいる。前述の実施形態を説明する目的のために構成要素または方法のすべての考えられる組合せを説明することは、もちろん、可能ではない。しかし、その技術における当業者は、様々な実施形態の多くのさらなる組合せおよび置換がありえることを認識することができる。したがって、説明された実施形態は、添付された請求項の範囲内にあるような変更、修正および変形をすべて包含するように意図される。用語「含んでいる（ｉｎｃｌｕｄｅ）」が、詳細な説明あるいは請求項のいずれかにおける使用される範囲で、そのような用語は、請求項において暫定的な単語として使用される時、用語「含む（ｃｏｍｐｒｉｓｉｎｇ）」が「含む（ｃｏｍｐｒｉｓｉｎｇ）」こととして解釈されるのと同様に包括的であるように意図される。更に、請求項と詳細な説明のいずれかにおいて使用される用語「または」は、「非排他的論理和（non-exclusive or）」であることを意図している。
以下に本件出願当初の特許請求の範囲に記載された発明を付記する。
［Ｃ１］
第１のＯＦＤＭシンボルにおけるセクタ特有のシーケンスに対応する、信号の第１の部分を生成することと、
第２のＯＦＤＭシンボルにおける前記信号のための値を掛けた前記セクタ特有のシーケンスに対応する、前記信号の第２の部分を生成することと
を含む、無線通信システムにおける情報伝送のための方法。
［Ｃ２］
前記信号は干渉報告を含み、前記値は干渉値を含む、Ｃ１の方法。
［Ｃ３］
前記信号の値に依存する複素数を両方のシーケンスに掛ける、Ｃ１の方法。
［Ｃ４］
前記第１の部分は、単一の複素数値Ｘを掛けたセクタ特有のランダムシーケンスを含み、前記第２の部分は、別の値Ｙ、ただしＹはＸの２乗である、を掛けた異なるセクタ特有のランダムシーケンスを含む、Ｃ１の方法。
［Ｃ５］
前記第１の部分は、前記第２の部分とは異なるセクタ特有のシーケンスを有し、前記２つのシーケンスに掛ける位相は異なる、Ｃ１の方法。
［Ｃ６］
前記位相は、０、２π／３、および４π／３を含むグループから選ばれる、Ｃ５の方法。
［Ｃ７］
第１のＯＦＤＭシンボルにおけるセクタ特有のシーケンスに対応する第１の部分、および第２のＯＦＤＭシンボルにおける前記信号のための値を掛けた前記セクタ特有のシーケンスに対応する第２の部分を含む伝送のための信号を生成するための命令を実行するプロセッサと、
前記プロセッサにより生成された命令に関する情報を記憶するメモリと
を含む無線通信装置。
［Ｃ８］
前記信号は干渉報告を含み、前記値は干渉値を含む、Ｃ７の無線通信装置。
［Ｃ９］
前記信号の値に依存する複素数を両方のシーケンスに掛ける、Ｃ７の無線通信装置。
［Ｃ１０］
前記第１の部分は、単一の複素数値Ｘを掛けたセクタ特有のランダムシーケンスを含み、前記第２の部分は、別の値Ｙを掛けた異なるセクタ特有のランダムシーケンスを含む、ただしＹはＸの２乗である、Ｃ７の無線通信装置。
［Ｃ１１］
前記第１の部分は、前記第２の部分とは異なるセクタ特有のシーケンスを有し、前記２つのシーケンスに掛ける位相は異なる、Ｃ７の無線通信装置。
［Ｃ１２］
前記位相は、０、２π／３および４π／３を含むグループから選ばれる、Ｃ１１の無線通信装置。
［Ｃ１３］
第１のＯＦＤＭシンボルにおけるセクタ特有のシーケンスに対応する、信号の第１の部分を作成するための手段と、
第２のＯＦＤＭシンボルにおける前記信号のための値を掛けた前記セクタ特有のシーケンスに対応する、前記信号の第２の部分を作成するための手段と
を含む、干渉情報を提供する無線通信装置。
［Ｃ１４］
前記信号は干渉報告を含み、前記値は干渉値を含む、Ｃ１３の無線通信装置。
［Ｃ１５］
前記信号の値に依存する複素数を両方のシーケンスに掛ける、Ｃ１３の無線通信装置。
［Ｃ１６］
前記第１の部分は、単一の複素数値Ｘを掛けたセクタ特有のランダムシーケンスを含み、前記第２の部分は、別の値Ｙ、ただしＹは値Ｘの２乗である、を掛けた異なるセクタ特有のランダムシーケンスを含む、Ｃ１３の無線通信装置。
［Ｃ１７］
前記第１の部分は、前記第２の部分とは異なるセクタ特有のシーケンスを有し、前記２つのシーケンスに掛ける位相は異なる、Ｃ１３の無線通信装置。
［Ｃ１８］
前記位相は、０、２π／３、および４π／３を含むグループから選ばれる、Ｃ１７の無線通信装置。
［Ｃ１９］
第１のＯＦＤＭシンボルにおけるセクタ特有のシーケンスに対応する、信号の第１の部分を生成し、
第２のＯＦＤＭシンボルにおける前記信号のための値を掛けた前記セクタ特有のシーケンスに対応する、前記信号の第２の部分を生成する
ための機械実行可能命令であって、前記信号は干渉報告を含み、前記値は干渉値を含む、機械実行可能命令
を記憶した機械可読媒体。
［Ｃ２０］
前記第１の部分は、前記第２の部分とは異なるセクタ特有のシーケンスを有し、前記２つのシーケンスに掛ける位相は異なり、前記位相は、０、２π／３、および４π／３を含むグループから選ばれる、Ｃ１９の機械可読媒体。
［Ｃ２１］
前記第１の部分は、単一の複素数値Ｘを掛けたセクタ特有のランダムシーケンスを含み、前記第２の部分は、別の値Ｙ、ただしＹはＸの２乗である、を掛けた異なるセクタ特有のランダムシーケンスを含む、Ｃ１９の機械可読媒体。
［Ｃ２２］
第１のＯＦＤＭシンボルにおけるセクタ特有のシーケンスに対応する、信号の第１の部分を生成し、
第２のＯＦＤＭシンボルにおける前記信号のための値を掛けた前記セクタ特有のシーケンスに対応する、前記信号の第２の部分を生成する
ように構成されたプロセッサであって、前記信号は干渉報告を含み、前記値は干渉値を含む、プロセッサ
を含む、無線通信システムにおいて使用可能な装置。
［Ｃ２３］
第１の部分および第２の部分を含む信号を受信することと、
他のセクタ干渉（ＯＳＩ）値を得るために前記第１の部分および前記第２の部分を使用することと
を含む無線通信システムにおける情報を処理するための方法。
［Ｃ２４］
前記ＯＳＩ値に基づいて送信パワーレベルを修正することをさらに含む、Ｃ２３の方法。
［Ｃ２５］
前記ＯＳＩ値は、過度の干渉、高い干渉、または最小の干渉のうちの１つを示す、Ｃ２３の方法。
［Ｃ２６］
前記第１の部分は、第１のＯＦＤＭシンボルにおけるセクタ特有のシーケンスに対応し、前記第２の部分は、第２のＯＦＤＭシンボルにおける前記信号のための値を掛けた前記セクタ特有のシーケンスに対応する、Ｃ２３の方法。
［Ｃ２７］
チャネル推定を導き出すために前記第１の部分を使用して、チャネル推定を行なうことと、
前記第２の部分に含まれた前記値を計算するために前記チャネル推定を使用することと
をさらに含むＣ２６の方法。
［Ｃ２８］
前記信号は干渉報告を含み、前記値は干渉値を含む、Ｃ２３の方法。
［Ｃ２９］
第１の部分および第２の部分を含む信号を受信し、
ＯＳＩ値を得るために前記第１の部分および前記第２の部分を使用する
ための命令を実行するプロセッサと、
前記プロセッサにより生成された命令に関する情報を記憶するメモリと
を含むＣ無線通信装置。
［Ｃ３０］
前記プロセッサは、前記ＯＳＩ値に基づいて送信パワーレベルを修正するための命令をさらに実行する、Ｃ２９の無線通信装置。
［Ｃ３１］
前記ＯＳＩ値は、過度の干渉、高い干渉、または最小の干渉のうちの１つを示す、Ｃ２９の無線通信装置。
［Ｃ３２］
前記第１の部分は、第１のＯＦＤＭシンボルにおけるセクタ特有のシーケンスに対応し、前記第２の部分は、第２のＯＦＤＭシンボルにおける前記信号のための値を掛けた前記セクタ特有のシーケンスに対応する、Ｃ２９の無線通信装置。
［Ｃ３３］
前記プロセッサは、
チャネル推定を導き出すために前記第１の部分を使用してチャネル推定を行い、
前記第２の部分に含まれた前記値を計算するために前記チャネル推定を使用する
ための命令をさらに実行する、Ｃ３２の無線通信装置。
［Ｃ３４］
前記信号は干渉報告を含み、前記値は干渉値を含む、Ｃ２９の無線通信装置。
［Ｃ３５］
第１の部分および第２の部分を含む信号を受信するための手段と、
他のセクタ干渉（ＯＳＩ）値を得るために前記第１の部分および前記第２の部分を使用するための手段と
を含む、情報を処理する無線通信装置。
［Ｃ３６］
前記ＯＳＩ値に基づいて送信パワーレベルを修正するための手段をさらに含む、Ｃ３５の無線通信装置。
［Ｃ３７］
前記ＯＳＩ値は、過度の干渉、高い干渉、または最小の干渉のうちの１つを示す、Ｃ３５の無線通信装置。
［Ｃ３８］
前記第１の部分は、第１のＯＦＤＭシンボルにおけるセクタ特有のシーケンスに対応し、前記第２の部分は、第２のＯＦＤＭシンボルにおける前記信号のための値を掛けた前記セクタ特有のシーケンスに対応する、Ｃ３５の無線通信装置。
［Ｃ３９］
チャネル推定を導き出すために前記第１の部分を使用してチャネル推定を行なうための手段と、
前記第２の部分に含まれた前記値を計算するために前記チャネル推定を使用するための手段と
をさらに含むＣ３８の無線通信装置。
［Ｃ４０］
前記信号は干渉報告を含み、前記値は干渉値を含む、Ｃ３５の無線通信装置。
［Ｃ４１］
第１の部分および第２の部分を含む信号を受信することと、
過度の干渉、高い干渉、または最小の干渉のうちの１つを示す他のセクタ干渉（ＯＳＩ）値を得るために、前記第１の部分および前記第２の部分を使用することと、
前記ＯＳＩ値に基づいて送信パワーレベルを修正することと
のための機械実行可能命令を記憶した機械可読媒体。
［Ｃ４２］
第１の部分および第２の部分を含む信号を受信し、
過度の干渉、高い干渉、または最小の干渉のうちの１つを示す他のセクタ干渉（ＯＳＩ）値を得るために、前記第１の部分および前記第２の部分を利用し、
前記ＯＳＩ値に基づいて送信パワーレベルを修正する
ように構成されたプロセッサ
を含む、無線通信システムにおいて使用可能な装置。
【図１】
0005612052.tif 000010
【図２】
0005612052.tif 000011
【図３】
0005612052.tif 000012
【図４】
0005612052.tif 000013
【図５】
0005612052.tif 000014
【図６】
0005612052.tif 000015
【図７】
0005612052.tif 000016
【図８】
0005612052.tif 000017
【図９】
0005612052.tif 000018
【図１０】
0005612052.tif 000019
【図１１】
0005612052.tif 000020